(57)【特許請求の範囲】
【請求項１】
キャリア・オフセットが含まれ得る送信信号を受信する装置において、
複数の分解能で前記受信された信号のブラインド・イコライゼーションを実行するイコライザ（２０）と、前記イコライザの動作を制御して前記ブラインド・イコライゼーションを行う制御ネットワークとを含む装置であって、前記制御ネットワークは、
（ａ）分解能の異なる複数の段を有し、前記イコライザからの出力データを前記複数の段のうちのそれぞれの段において同時に量子化する多段量子化部（５０）であって、分解能を制御して徐々に詳細な分解能の量子化を示すように構成された量子化部と、
（ｂ）前記量子化部からの量子化されたデータに応答して、該量子化されたデータのエラーが所定の閾値以下の場合には、より詳細な分解能となるよう分解能を制御する制御信号を生成する検出部（６０，６２，６６）と、
（ｃ）前記制御信号を前記イコライザに適用して、前記より詳細な分解能で前記ブラインド・イコライゼーションを行うよう前記イコライザ（２０）を制御する手段と
を備えることを特徴とする装置。
【請求項２】
前記受信した信号は、キャリア・オフセットが現われやすいデータ信号の１次元配置（−７，−５，−３，−１，１，３，５，７）としてフォーマットされた残留側波帯信号（ＶＳＢ）であり、デジタル画像データを表わしており、
前記量子化部は、前記ＶＳＢシンボル配置をシンボルの小さいクラスタ（図４）へ徐々にグループ化する
ことを特徴とする請求項１に記載の装置。
【請求項３】
前記受信した信号は８−ＶＳＢ信号であり、
前記量子化段はそれぞれ２レベル，４レベル，８レベルの量子化を示す
ことを特徴とする請求項２に記載の装置。
【請求項４】
ベースバンド近傍の信号を前記イコライザへ供給する第１のキャリア復元ネットワーク（１８）をさらに含み、
前記制御ネットワークは、前記イコライザの制御入力へ印加するキャリア・エラーを表わすエラー信号をさらに発生させる
ことを特徴とする請求項１に記載の装置。
【請求項５】
前記イコライザからの出力信号をベースバンドに向かって偏移させ、該出力信号からベースバンド付近に復調される残留側波帯信号（ＶＳＢ）出力信号を提供するキャリア復元ネットワーク（２２，３０，６２）
をさらに備えることを特徴とする請求項１に記載の装置。
【請求項６】
前記エラー信号に基づきローテータにより位相エラーを補償して前記イコライザからの出力信号をベースバンドに向かって偏移させ、該出力信号からベースバンド付近に復調される残留側波帯信号（ＶＳＢ）出力信号を提供する第２のキャリア復元ネットワーク（２２，３０，６２）
をさらに備えることを特徴とする請求項４に記載の装置。
【請求項７】
前記量子化部への量子化していない入力と前記量子化部からの量子化出力との間の信号を発生し、キャリア位相エラーを表わす手段（６０）と、
前記差信号を前記イコライザと前記検出部とに伝達する手段（６２）と
をさらに備えることを特徴とする請求項１に記載の装置。
【請求項８】
デジタル画像データを表わすデータ・シンボルの配置を含む、キャリア・オフセットが含まれ得る送信ビデオ信号を受信するシステムにおいて、ブラインド・イコライゼーションを得るために信号イコライザにおいて使用される方法であって、前記方法は、
（ａ）出力信号を発生するため、前記受信した入力信号をイコライズするステップと、
（ｂ）徐々に分解能が高くなる多段量子化段階により、前記イコライズするステップからの前記出力信号を量子化するステップであって、
（ｂ１）シンボルの前記配置を複数のシンボルの組にグループ化するステップと、
（ｂ２）関連する判定領域を有する第１段の分解能レベルで前記シンボルの組のそれぞれを量子化して、それぞれのシンボルの組に対して判定出力シンボルを発生するステップと、
（ｂ３）前記判定出力シンボルを閾値に対して評価するステップと、
（ｂ４）連続する段階で徐々に詳細な量子化レベルを発生するために、前記閾値を引数とする関数として前記ステップ（ｂ１）から（ｂ３）を実行し、その結果得られた前記閾値の値に基づいて反復するステップと
を含むステップと、
（ｃ）前記判定出力シンボルを引数とする関数として通過帯域エラー信号を導き出すステップと、
（ｄ）前記通過帯域エラー信号を前記イコライザの制御入力へ伝達するステップと
を備えることを特徴とする方法。
【請求項９】
前記量子化レベルのそれぞれは、
前記配置シンボルを複数のシンボルの組にグループ化し、
判定領域に対してそれぞれの組を評価し、
前記判定領域評価に基づいて、前記量子化判定シンボル出力を供給する
ステップを備えることを特徴とする請求項８に記載の方法。
【請求項１０】
前記グループ化のステップにおいて、前記配置シンボルは徐々に小さいシンボルの組にグループ化され、前記評価ステップにおいて、前記判定領域は徐々に狭い範囲を示すことを特徴とする請求項８に記載の方法。
【請求項１１】
前記受信した信号は、データ・シンボルの１次元配置としてフォーマットされた残留側波帯信号（ＶＳＢ）である
ことを特徴とする請求項８に記載の方法。
【請求項１２】
前記受信した信号は８−ＶＳＢ信号であり、
前記量子化ステップは、それぞれが２レベル，４レベル，８レベル量子化を示す３つの量子化段階を備える
ことを特徴とする請求項１１に記載の方法。
【請求項１３】
前記（ｂ１）から（ｂ３）のステップは、それぞれの組が単一シンボルを含むまで反復される
ことを特徴とする請求項８に記載の方法。
【請求項１４】
前記（ｂ４）のステップは、１単位より大きな値を有するオフセット係数で判定領域の値を修正するステップをさらに備え、当該修正された判定領域の値により反復することを特徴とする請求項８に記載の方法。
【請求項１５】
前記（ｂ４）のステップは、前記判定シンボル出力を多重化して出力データ・ストリームを形成するステップをさらに備え、当該形成された出力データ・ストリームを用いて反復することを特徴とする請求項８に記載の方法。
【発明の詳細な説明】
発明の分野
本発明はデジタル信号処理システムに関する。さらに詳しくは、本発明は、例えば高品位テレビ（ＨＤＴＶ）情報によって変調された残留側波帯（ＶＳＢ）ビデオ信号に対するブラインド・イコライザに関する。
発明の背景
ＶＳＢ信号および直交振幅変調（ＱＡＭ）信号はどちらもパルス振幅変調（ＰＡＭ）信号の形式である。デジタル情報を搬送しているＱＡＭ信号は、２次元データシンボルの実軸と虚軸で定義される２次元データ・シンボルの配置によって表わされる。これとは対照的に、ＶＳＢ信号は、受信機で復元しようとする量子化データを含む１つの軸による１次元データ・シンボルの配置によって表わされる。
ＶＳＢまたはＱＡＭからの受信機でのデータ復元には３つの機能の実装が必要になる：シンボル同期のためのタイミング復元（timing recovery）、キャリア復元（carrier recovery）（周波数復調）およびイコライゼーション（等化）である。タイミング復元は、受信機クロック（タイム・ベース）を送信機クロックに同期させる処理である。これにより、受信した信号を時間的に最適な点においてサンプリングすることができ、受信したシンボル値の判定指向処理（decision-directed process）に関連したスライシング・エラーの可能性を減少させることができる。キャリア復元は、受信したＲＦ信号をもっと低い中間周波数通過帯域（たとえばベースバンド付近）へ周波数遷移したあと、ベースバンドへ周波数遷移して変調ベースバンド情報の復元ができるようにする処理である。
ＶＳＢシステムの一例は、米国に対して最近提案されたグランド・アライアンス（Grand Alliance）ＨＤＴＶ送信システムがある。このシステムは、ＶＳＢデジタル送信フォーマットを用いてパケット化したデータストリームを搬送しており、連邦通信委員会（Federal Communication Commission：ＦＣＣ）においてアドバンスト・テレビ・サービス諮問委員会（Advisory Committee of Advanced Television Service：ＡＣＡＴＳ）が米国での評価を行なっている。ＡＣＡＴＳ技術分科会に１９９４年２月２２日に送付されたグランド・アライアンスＨＤＴＶシステムの仕様書（ドラフト文書）は、１９９４年度放送業者全国大会草稿集（Proceodings of the National Association of Broadcasters）、１９９４年３月２０〜２４日、４８回年次放送エンジニアリング会議（48th Anuual Broadcost Engineerin Conference Proceedings）にみられる。
多くの新しいデジタル・データ通信システムでは、適応型イコライゼーション（adaptive equalization）を用いて、変化する条件と信号送信チャンネルの乱れ（disturbance）の影響を補償している。イコライゼーションにより、送信チャンネルのローパス・フィルタの影響を含む送信チャンネルの乱れにより発生するベースバンド内シンボル間干渉（baseband intersymbol interference：ＩＳＩ）を除去する。ＩＳＩは、任意のシンボルの値を先行および後続のシンボルの値でひずませる。イコライゼーションは、典型的には、キャリア復元前にベースバンド付近の信号に対して実行し、ベースバンド付近の信号から残存周波数オフセットを除去して真のベースバンド出力信号を発生させる。この機能は典型的にはデジタル受信機の回路で実行されるものである。キャリア復元処理が、イコライゼーション機能により提供される少くとも部分的に開いた「目」（partiolly open "eye"）を必要とする典型的な（知られている）判定指向処理であることから、イコライゼーションはキャリア復元ベースバンド復調の前に実行される。
適応型イコライザは、基本的には適応型デジタル・フィルタである。適応型イコライザを使用するシステムでは、充分にチャンネルひずみを補償するようにフィルタ応答を適応する方法を提供する必要がある。フィルタ係数を適応させ、これによりフィルタ応答を最適化するための幾つかのアルゴリズムが利用可能である。広く用いられている１つの方法は、最小平均自乗（ＬＭＳ）アルゴリズムを用いている。このアルゴリズムは、係数値をエラー信号（Ｅ）の関数として変化させることにより、イコライザ出力信号が基準データ・シーケンスとほぼ等しくなるようにしている。このエラー信号は、イコライザ出力信号を基準データ・シーケンスから減算して形成される。エラー信号がゼロに近付くと、イコライザはコンバージェンス（収束）に達し、このことによりイコライザ出力信号と基準データ・シーケンスがほぼ等しくなる。
イコライザ演算が開始された時、係数値（フィルタ・タップ重み）は一般に充分にチャンネルひずみの補償を行なう値に設定されていない。イコライザ係数を初期コンバージェンスにするため、周知の「トレーニング」信号を基準信号として用いることができる。この信号は送信機と受信機の双方でプログラムされる。エラー信号は、トレーニング信号のローカルに生成したコピーを適応型イコライザ出力から減算することによって受信機で形成する。トレーニング信号は、知られているように、受信した信号の初期にふさがれている「目」を開くために用いる。トレーニング信号を用いた適応化のあと、目は充分に開いているので、イコライザを判定指向演算モードに切り換える。このモードでは、フィルタ・タップ重みの最終コンバージェンスが、トレーニング信号を用いるのではなくイコライザ出力からの実際のシンボルの値を用いて実現される。判定指向イコライゼーション・モードは、定期的に送信されたトレーニング信号を用いる方法より迅速に、時間変動するチャンネルひずみを追跡しキャンセルすることができる。判定指向イコライゼーションが信頼性の高いコンバージェンスと安定した係数値を提供できるようにするためには、判定の約９０％が正しい必要がある。トレーニング信号は、イコライザがこの９０％の正しい判定レベルに達するのを補助する。
トレーニング信号が利用できない場合に問題が発生する。このような場合には、「ブラインド」・イコライゼーション（"blind" equalization）を用いてイコライザ係数値の初期コンバージェンスを提供し、かつ目を強制的に開けることが多い。ブラインド・イコライゼーションは広範に研究され、ＱＡＭシステムに使用されている。もっとも一般的なブラインド・イコライゼーション・アルゴリズムには、コンスタント・モジュラス・アルゴリズム（Constant Modulus Algorithm：ＣＭＡ）と減少配置アルゴリズム（Reduced Constellation Algorithm：ＲＣＡ）がある。これらのアルゴリズムは、たとえばProakisの“Digital Communications”（デジタル通信），McGraw-Hill:New York，1989およびGodardの“Self-Recovering Equalization and Carrier Tracking in Two Dimensional Data Communication systems”（２次元データ通信システムにおける自己復元イコライゼーションとキャリア追跡），IEEE Transactions on Communications，Nov．1980等で議論されている。
ＣＭＡとＲＣＡアルゴリズムはＶＳＢシステムに直接適用できない。ＣＭＡは判定の瞬間に検出したデータ・シンボルのモジュロが、数個の直径が異なった（配置）円の１つを定義する点の位置に存在すべきことに基づいている。このようなＣＭＡの面は、キャリア・ロック（ベースバンド復調）の前に使用することができる。ＣＭＡは本質的に、配置成分を搬送する同相（in-phase）および直交位相（quadrature phase）データを有するＱＡＭ信号の場合のように、２次元的に信号を処理することによっている。ＣＭＡは、ＶＳＢ信号が１次元データ・シンボルの配置により表わされているので、ＶＳＢ信号に直接応用できない。ＲＣＡは主送信配置内に「超配置」（"super constellations"）を形成することによっている。データ信号は、まず最初に、超配置に強制的にあてはめられ、続いて超配置を分割して配置全体を含めるようにする。ＲＣＡは、一般に２次元データ配置を必要とするが、ＶＳＢ信号は１次元データ・シンボル配置である。
発明の要約
本発明の原理によれば、ＣＭＡまたはＲＣＡアルゴリズムを使用しないブラインド・イコライザが、高品位テレビ信号を処理するためのテレビ信号受信機に用いられたもので例示的に開示される。徐々に高い分解能を表現する多段量子化部（multiple stage quantizer）、「トレーニング」信号を必要としないブラインド・イコライゼーションを提供するためのイコライザの動作に制御的に関連する。
図示した実施例において、イコライザには、第１のキャリア復元ネットワークが先行し、また第２のキャリア復元ネットワークが後続し、システムへの入力信号はトレーニング成分のない残留側波帯（ＶＳＢ）信号である。
【図面の簡単な説明】
図面において、
図１は本発明の原理によるイコライザ・システムを含むＨＤＴＶ受信機等の高品位テレビ受信機の一部のブロック図である。
図２は本発明の原理によるイコライザ・システムの別の実施例のブロック図である。
図３は図１および図２に図示したシステムの一部の詳細図である。
図４はブラインド・イコライゼーション処理に関連したシンボル判定処理を示す図である。
図面の詳細な説明
図１において、アンテナ１０で受信した放送ＶＳＢ変調アナログＨＤＴＶ信号は、たとえばＲＦチューニング部、中間周波数通過帯域出力信号を生成するためのダブル・コンバージョン・チューナ、および適当な利得制御部を含む入力ネットワーク１４で処理される。受信したＶＳＢ信号は、例示的には、グランド・アライアンスＨＤＴＶ仕様に準拠した従来のＮＴＳＣ６ＭＨｚ周波数スペクトルを占有する、シンボル速度１０．７６Ｍシンボル／秒の８−ＶＳＢ信号である。このシステムにおけるナイキスト帯域幅（Nyquist band width）は５．３８ＭＨｚで、それぞれの帯域端（bandedge）で０．３１ＭＨｚの過剰帯域幅（excess band width）を有する。
入力プロセッサ１４からの通過帯域出力信号は、アナログ−デジタル変換器１６によってアナログからデジタルへ形態が変換される。変換器１６は、たとえば２サンプル／シンボルのサンプル速度で動作する。この例で、受信したＶＳＢ信号は、パイロット成分またはトレーニング成分を含まず、また、ユニット１４で６ＭＨｚ帯域の中心が規格の５．３８ＭＨｚに存在するように処理されている。この信号のＡＤＣ１６入力における周波数スペクトルは、２．３８ＭＨｚから８．３８ＭＨｚの範囲を占有している。タイミング復元ネットワーク（timing recovery nettwork）１７を用いることにより、タイミング同期が確立されたとき、ＡＤＣ１６は、シンボル速度の２倍の２１．５２ＭＨｚでこの信号をサンプリングする。タイミング復元ネットワーク１７は、送信機で生成された対応するクロックと同期している出力シンボル・クロック（ＣＬＫ）を提供する。クロックＣＬＫは、受信システムのＡＤＣ１６およびその他のエレメントに適用される。タイミング復元を得るための技術は知られている。ネットワーク１７での使用に適している特に好ましいタイミング復元技術の１つは“Carrier Independent Timing Recovery System for a Vestigial Sideband Modulated Signal”（残留側波帯変調信号のためのキャリア非依存タイミング復元システム）と題するC．Strolle et al．による同時出願中の米国特許出願（ＲＣＡ８７，５８８）号に開示されている。
開示のシステムにおいて、送信信号のキャリア周波数は規格の５．３８ＭＨｚで、送信シンボル周波数は公称１０．７６Ｍシンボル／秒、また、受信機サンプリング周波数は送信シンボル周波数の２倍である。ベースバンドへの復調が得られるときのキャリア・ロックでは、復元されたキャリア周波数は受信機サンプリング周波数の１／４である。
ＡＤＣ１６からのデジタル信号は、キャリア・プロセッサ１８に印加される。プロセッサ１８は、ベースバンド付近へ復調されるＶＳＢ出力信号を提供するための従来設計であるキャリア復元ネットワークを含む。この目的に適しているキャリア復元ネットワークは従来技術で知られている。ユニット１８で使用するために、特に好しいキャリア復元ネットワークは、“Carrier Recovery System for a Vestigial Sideband Signal”（残留側波帯信号のためのキャリア復元システム）と題するC．Str olle et al.による出願中の米国特許出願（ＲＣＡ８７，８６２）号に開示されている。開示のシステムにおいて、絶対ベースバンドへの復調は、キャリア復元を支援するためのパイロット信号またはイコライゼーションを支援するためのトレーニング信号に依存することなく、第２のキャリア復元ネットワークと共にブラインド・イコライザ・ネットワークを用いて実現している。処理すべき入力ＶＳＢ信号は、実成分と虚成分からなる複素信号（complex signal）で、グランド・アライアンスＨＤＴＶ送信システムで使用している種類とすることができる。ＶＳＢ信号の実成分のみが復元すべきデータ・シンボルを含む。
プロセッサ１８からのベースバンド付近のＶＳＢ出力信号は、デジタル・データと共に送信チャンネルの乱れおよびアーティファクトに起因するシンボル間干渉（ＩＳＩ）を含んでいる。この信号を、たとえばこの場合ではデジタルＦＩＲフィルタとして実現される比例間隔イコライザ（fractionally spaced equalizer）等の複素適応型フィード・フォワード通過帯域イコライザ２０の入力へ適用する。イコライザ２０は、信号の取得中は「ブラインド」モードで動作し、その後、判定指向モードで動作する。イコライザ２０の係数値（タップ重み）は、後述するような制御入力に印加されるエラー信号（Ｅ）で適応的に制御される。
ブラインド・イコライゼーションで用いるアルゴリズムは、ＶＳＢ判定デバイスに対する適切な判定領域を判定し、適応型イコライザがトレーニング信号を使用することなくコンバージェンスを行なえるように判定を生成する。ブラインド・イコライゼーションの処理をさらに詳細に説明する前に、幾つかの術語を定義しておくのが有用であろう。「判定領域」は実数範囲の連続部分で上下の境界を有する。「境界なし判定領域」は上側の境界について正の無限、または下側の境界について負の無限のどちらかを有する判定領域である。シンボル点は、上側境界より小さく下側境界より大きい値を有していれば、判定領域内に存在する。判定領域はシンボル点が判定領域内に存在するときは、シンボル点を「覆う（span）」。「判定デバイス」、たとえば量子化部は、入力シンボル点が存在する判定領域がどれか判定し、その判定領域に対応するシンボル点を出力する。「ステップ」は、完全配置（full constellation）において２つの隣接するシンボルの間の距離である。前述のように、ＶＳＢ信号は、基本的には１つだけの軸が、受信機で復元すべき量子化シンボル・データを含むような１次元データ配置である。
ＶＳＢシステムでは、典型的には一つの判定領域が完全配置の１つのデータ・シンボルを覆う。それぞれの判定領域の上下の境界は、配置サンプル点間の中点に設定する。これらの判定領域がイコライザの初期コンバージェンスに使用される場合、ＩＳＩの存在のために判定デバイスからの判定の内、９０％より大幅に少い判定のみが正しいため、コンバージェンスは発生しない。
後述するように、ブラインド・イコライゼーション・アルゴリズムは、幾つかの正しい判定を強制的に行なう過程で、新規に上下の判定領域境界を判定する。完全なＶＳＢ配置（full VSB constellation）は数組に分割され、判定領域の上下の境界が決定される。これらの第１の組は、それぞれの組が１つのシンボルだけを含み、判定領域が典型的なＶＳＢ判定領域に対応するまで、さらに小さな組に分割される。判定境界は典型的には判定領域内のシンボルの間の中点に配置される。それぞれの判定段階たとえば量子化部において、多数の判定を訂正して、イコライザがコンバージェンスに達するようにすることができる。つまり、ブラインド・イコライゼーション処理におけるそれぞれの判定段階は、コンバージェンスに近づくに従って、徐々にＶＳＢ信号の「目」を開くために用いられる。
それぞれの判定領域の上下の境界は次のような方法で決定される。任意のシンボルの集合に対して、任意の判定領域の下側境界がその集合内のもっとも小さいシンボルの値より１／２ステップ小さい値に設定される。しかし、最小シンボルが配置の最小値シンボルの場合には、下側境界は負の無限に設定される。判定領域の上側境界は、集合内の最大シンボル値より１／２ステップ大きい値に設定される（シンボルが最大値シンボルである場合は別で、この場合、上側境界は正の無限大の値に設定される）。イコライザからの出力シンボルが、これらの判定領域の１つに存在する場合、判定デバイスの出力は関連する集合のデータ・シンボルの算術手段（arithmatic mean）であるとみなすことができる。
ローカルに生成したエラー信号が、所定の量子化閾値レベル以下の場合、即ち判定領域の評価が改良できることを意味するが、判定領域はそれぞれのシンボルの集合を半分に分割することにより変更される。新規の判定領域の上下の境界と判定デバイス出力は前述したような方法で再計算する。
前述の処理を８−ＶＳＢ信号の次のような例で説明する。グランド・アライアンスＨＤＴＶシステムに採用された信号のフォーマットは、次の８データ・シンボルで定義される１次元データ配置を有する８−ＶＳＢ信号を使用している。
−７  −５  −３  −１  ＋１  ＋３  ＋５  ＋７
この１次元配置は、ＶＳＢ信号の同相実成分により伝送される。このシンボル構成では、シンボルは全て２単位づつ離れた等間隔で、ＤＣオフセットに関係なくデータ・ビットをシンボルへ割り当てることができる。
前述したようなブラインド・イコライゼーション処理の例は、３つの段階またはレベルを含み、入力データ・シンボルは、３種類の異なる方法でグループ化または「クラスタ化」され、関連する量子化判定デバイスにより、徐々により詳細な量子化ステップがそれぞれ行なわれる。最初の（粗い）８シンボルＶＳＢ配置点のクラスタ化は、粗い量子化ステップを含む最初のイコライゼーション・レベルで行なわれ、２つのシンボル・クラスタを発生する：
［−７  −５  −３  −１］および［＋１  ＋３  ＋５  ＋７］
この操作では、量子化部のスライス点はゼロに設定されており、データの符号（＋または−）が検出される。これらのクラスタそれぞれに対する粗い量子化ステップの判定領域は、それぞれ
［−無限大，０］および［０，＋無限大］
である。
この場合、粗い量子化判定デバイスの出力はそれぞれ、
［−４］［＋４］
である。
イコライゼーションの次のレベルにおける次の（細かい）クラスタ化のレベルは、次のような４つのシンボル・クラスタを発生する：
［−７，−５］［−３，−１］［１，３］［５，７］
これらのクラスタに対する細かい量子化ステップの判定領域は、それぞれ、
［−無限大，−４］［−４，０］［０，４］［４，無限大］
である。
この場合、細かい分解能の判定デバイスの出力は、それぞれ
［−６］［−２］［２］［６］
である。
イコライゼーションの際、後のレベルにおける最後の詳細化レベルは、次のようなシンボル・クラスタを発生する
［−７］［−５］［−３］［−１］［１］［３］［５］［７］
これは、もっとも細かい判定領域は
［−無限大，−６］［−６，−４］［−４，−２］［−２，０］
［０，２］［２，４］［４，６］［６，無限大］
もっとも細かい分解能の判定デバイス出力は、従って完全なＶＳＢ配置
−７  −５  −３  −１  １  ３  ５  ７
となる。
量子化部で発生した判定出力は、入力−出力マッパ（ルック・アップ・テーブル）により提供される。このようなマッパの使用は、量子化部の設計において知られている。８−ＶＳＢ信号でのこの例は、４つのシンボル・サンプルからなる２つのクラスタで始まっている。これはまた、８シンボルからなる１つのクラスタから始まっていることもあり得る。類似の操作は、１６−ＶＳＢ信号に適用される。１６−ＶＳＢ信号は、４シンボルからなる４つのクラスタから、または８シンボルからなる２つのクラスタから始めることができる。連続する粗いそして細かい領域の間で、判定領域の値は典型的には１／２の係数で関連するのだが、この関係は必須ではない。
前述の処理を図４に要約してあり、８−ＶＳＢ信号のブラインド・イコライゼーションのためのクラスタ、判定領域、判定デバイス出力が図示してある。これらの操作は、後述するように、量子化部５２，５４，５６と、時分割多重化シンボルの出力データストリームを供給するマルチプレクサ（ＭＵＸ）５８とを含む図１のネットワーク５０により実行される。
ＶＳＢ信号に対して、前述の処理の修正が必要なこともある。一組の判定領域のうちの全てではなく、幾つかの判定領域が境界を有していない場合に、問題が発生する。ＶＳＢ信号ではもっとも外側の正と負の判定領域が境界を有していない。送信チャンネルの乱れのために、チャンネル乱れがない場合に通常にみられる以上の多くの点が境界のない領域に入ることが考えられる。この状況は判定デバイスの出力にバイアス（かたより）を発生する。このバイアスを克服するには、境界のない判定領域の範囲を僅かに短縮し、境界のある判定領域の範囲を同時に増加させる。これらの領域は、以下のパラグラフで言及する最適オフセット値を実現するために必要とする量だけ短縮または延長する。これらの値は、一般に総判定領域に対する比率は小さい。この調節で全ての判定領域の選択が同率になる。
このバイアス調節手順は、前述した８−ＶＳＢシステムの状況において以下の例で説明する。たとえば４クラスタ段階では、判定領域の値は、たとえば１単位より僅かに大きな値を有するオフセット・スカラー係数「Δ」で乗算することにより修正する。オフセットの値は、特定のシステムでの性質と条件によって変化してもよい。オフセットの目的は、中間の判定領域の範囲を狭めることである。オフセットは判定領域の正と負の極限におけるもっとも外側の値、たとえば正または負の無限大には用いない。つまり、前述の第２のシンボル・クラスタ化の場合には判定領域は次のように変更される。
［−無限大，−４＊Δ］［−４＊Δ，０］［０，４＊Δ］［４＊Δ，無限大］
判定デバイス出力も同様に変更される：
−６＊Δ  −２＊Δ  ２＊Δ  ６＊Δ
それぞれのイコライゼーション（クラスタ化レベル）で最適なオフセット値は、量子化部が、２クラスタから４クラスタへおよび４クラスタから８クラスタへ切り換る場合のＲＭＳエラーの遷移（transient）を最小化することにより見つけられる。これらの値は経験的に決められることが多い。場合によっては、出力デバイスのオフセット値と判定領域のオフセット値が異なる場合がある。同様の観測が１６−ＶＳＢ信号に適用される。
図１に図示したシステムの動作について説明する。この実施例では、イコライザ２０は調節可能なタップを備えたＦＩＲフィルタとして実現しているが、他の適応型フィルタ構造を使用することもできる。イコライザ２０は複素入力および出力を備えた複素ユニットである。しかし、イコライザ２０は、入力信号の同相実成分だけを処理し単一の実出力を有するような実成分専用フィルタ（real-only filter）とすることができる。実成分専用イコライザのフィルタ構造は後述するように図２に図示される。
イコライザ２０からの出力信号は、第１の（デ）ローテータ（（de）-rotator）２２に印加される。（デ）ローテータ２２は、従来の構成からなり知られている方法で動作し、制御信号に応答して入力信号の位相エラーを補償する。複素乗算部であるローテータ２２は、第２のキャリア復元ネットワークに含まれ、このネットワークは、位相検出ネットワーク３０およびローテータ２２からの出力信号の同相実成分と直交虚成分を分離するためのネットワーク２４も含む。複素信号の実成分および虚成分を分離するためのネットワークは知られている。第２のキャリア復元ネットワークは、典型的には、イコライザ２０の出力信号に含まれる残留位相エラーを除去してベースバンド信号を生成する。第２のキャリア復元ネットワークは、プロセッサ１８の前段キャリア復元ネットワークを効果的に高機能化するものである。このネットワークは、周波数オフセットを通常除去するが、全ての周波数および位相オフセットを除去する能力が欠如することがある。
ネットワーク２４からの分離した実成分は、ネットワーク３０の実位相検出部３２により処理される。実位相検出部３２は図３との関連において図示し説明する。検出器３２からの出力信号は、検出部入力信号の位相エラーを表わし、イコライザ２０の出力信号に関連する。検出部３２の出力信号は、ループ・フィルタ３４（たとえば積分器）でフィルタされ、位相エラーに比例する電圧を発生する。電圧制御発振部（ＶＣＯ）３６は、この電圧に比例する周波数を発生する。つまり、ＶＣＯ３６の出力は、周波数と位相が適応型イコライザからの出力信号の位相エラーに比例した複素信号である。ＶＣＯ３６からの出力信号は、デローテータ２２の動作を制御してイコライザ２０の出力信号における位相エラーを補償する。特に、ローテータ２２は、ＶＣＯ出力信号の関数として入力信号の位相を修正し、位相エラーをゼロまで減少している。
周知の信号処理技術を使用して、ネットワーク３０からの制御信号をユニット６４で変化させて、ネットワーク３０からの複素制御信号の虚成分を除去する。ユニット６４から得られた実成分だけの制御信号を、第２の（デ）ローテータ６２の制御入力に印加する。デローテータについては以下で説明する。ユニット２４からの分離実成分は処理のためにネットワーク５０の入力に適用する。ユニット６７は、ユニット２４から分離された虚成分を、ネットワーク５０からの出力実信号で処理して複素信号を再構成する。
ネットワーク５０は、３つの並列量子化部段（判定デバイス）５２，５４，５６で構成された多段判定デバイスで、３：１の時間マルチプレクサ５８へ量子化したデータを提供する。ネットワーク５０は、図４に要約してあるように、シンボルのクラスタ化、判定領域、および前述したような判定出力を提供する。２レベル量子化部５２を第１の（粗い）イコライゼーション・レベル間に最初に使用する。第２のローテータ６２の出力に発生する通過帯域エラー信号ＥのＲＭＳ値が、センサ６６内のコンパレータ・ネットワークで検出され、所定の閾値以下の場合には、マルチプレクサ（ＭＵＸ）制御信号がセンサ６６で生成される。この制御信号は、ネットワーク５０内のＭＵＸ５８に対して、次の（詳細な）レベルの量子化部からの出力、たとえば第２のイコライゼーション・レベルで４レベル量子化部５４からの出力を選択させる。イコライザは、ＲＭＳエラーがセンサ６６で検出される所定の第２の閾値以下に下がるまで、この量子化部の使用から取り出した情報に応答する。この条件で生成されるマルチプレクサ制御信号は、ネットワーク５０に次のそして最後の（もっとも詳細な）レベルの量子化部からの出力、この例では第３の最終レベルのイコライゼーションにおける８レベル量子化部５６の出力を選択させる。量子化部５６は８−ＶＳＢ配置全部を包含する。この時点で、イコライザ２０は完全にコンバージェンス（収束）できるべきであることが期待される。
混合部６０の非反転（＋）入力への入力は量子化前の複素信号であり、混合部の反転（−）入力への入力は実成分量子化後の複素信号である。このように、混合部６０からの出力信号は、量子化前後の差、または所望の量子化レベルからのオフセット／エラーを表わす。この信号はベースバンド位相エラーを表わす。ローテータ２２は対向する方向（即ち、時計回りと反時計回り）に回転する同様の複素ローテータである。回転方向の違いはローテータ２２に対してローテータ６２の制御入力に印加される信号が共役であることに起因する。ローテータ６２の出力に発生したエラー信号Ｅは、イコライザ２０がエラー信号Ｅに応じて係数を調節することにより除去しようとしている通過帯域位相エラーを表わす。
ネットワーク５０は、図示されるような３個の独立した量子化部５２，５４，５６の代りに、制御可能な量子化レベルを備えた単一の適応型量子化部を使用することができる。イコライズしたベースバンド信号は、ユニット７６で復号し出力プロセッサ７８で処理される。復号部７６は、たとえば知られているように、インタリーブ除去部、リード・ソロモン・エラー補正、およびオーディオ／ビデオ復号ネットワークを含むことができる。出力プロセッサ７８は、オーディオおよびビデオ・プロセッサとオーディオおよびビデオ再生装置を含むことができる。トレリス復号器を使用するシステムでは、トレリス復号部への入力は第１のローテータ２２の出力で端子Ｔ１から取り出すことができる。
図２に図示されたシステムは、ベースバンド付近のＶＳＢ信号のブラインド・イコライゼーションも実行するが、図１で用いているような複素イコライザではなく、実成分専用イコライザを使用している。図２において、受信したＶＳＢ信号の実成分は、適応型実成分専用フィードフォワード・イコライザ２１０の入力に印加される。イコライザ２１０の係数は、エラー信号Ｅ（後述する）に応答して調節される。イコライザ２１０の実成分出力信号は判定フィードバック・イコライザ２１４からの実成分出力信号と加算部２１２で組み合される。フィルタ・ネットワーク２１６は、加算器２１２の実成分出力からＶＳＢ信号実成分の直交位相虚成分を再構成する。この再構成は、知られているヒルバート変換技術を用いて実現しており、ＶＳＢ信号の同相実成分と直交虚成分とがヒルバート変換の対を近似的に形成することに基づいている。ユニット２１８は、フィルタ２１６からの再構成直交成分とユニット２１２からの実成分とを組み合せて、イコライズされた実成分を有する再構成複素ＶＳＢ信号を発生する。遅延要素２２０は、再構成フィルタ２１６の動作に付随する遅延を補償し、入力信号が時間的に一致して加算器２１８に到着するように保証している。
ユニット２１８からの複素ＶＳＢ信号は、乗算部２２４は、乗算部（ローテータ）２２４で処理される。図１のローテータ２２と同様の様態で動作し、同じように図１のユニット３０に対応する第２のキャリア復元ネットワーク２２６のＶＣＯで発生した複素出力信号に応答する。図１の場合と同様に、キャリア復元ネットワーク２２６は、実成分／虚成分分離部２２８から供給される、ローテータ２２４からの出力信号の分離した実成分に応答する。ユニット２２８からの実成分は、図１のネットワーク５０に対応する多段量子化判定ネットワーク２３０で処理される。イコライズされたベースバンドＶＳＢ信号は、量子化部２３０の出力に現われ、次の信号処理部（図示せず）へ伝送される。
量子化部２３０の実入力および出力信号は、減算部２３２で差分をとられ、得られた実信号は乗算部２３４の入力に印加される。減算部の出力信号は、量子化部２３０への実入力信号と量子化部２３０からの量子化実出力信号との差を表わす。乗算部２３４のもう１つの入力は、減算部２３２からの実信号出力を受け取る。ユニット２２８で分離した虚成分と、量子化部２３０の出力からのイコライズされた実成分とが、ユニット２３６で組み合わせられて複素ＶＳＢ信号を発生し、これが乗算部２４０の信号入力に印加される。乗算部２４０のもう１つの入力は、共役ネットワーク２３６から実信号を受け取り、ユニット２２６の複素出力信号の虚成分を反転する。
乗算部２４０の出力は通過帯域実信号（複素乗算部の実出力だけを使用する）である。この信号は判定フィードバック・イコライザ２１４の信号入力に印加され、イコライザ２１４の制御入力は乗算部２３４からのエラー出力信号（Ｅ）を受け取る。このエラー信号は通過帯域エラー信号を表わし、係数制御信号として入力イコライザ２１０へも印加される。イコライザ２１４の出力は実成分で、ユニット２１２においてイコライザ２１０のイコライズされた実出力信号と結合される。フィードバック・イコライザ２１４は、フォワード・イコライザ２１０において除去されなかった信号間干渉の残りを除去する。判定フィードバック・イコライザは知られている。多段イコライザ２３０は、図１に図示したのと同じ方法でＭＵＸ制御信号を用いることにより制御することができる。これは、エラー信号を検出することによりＭＵＸ制御信号を発生し、これを図１に関連して説明した量子化部２３０に付随するマルチプレクサへ印加することで行うことができる。
図１の第２のキャリア復元ループにおけるネットワーク３０の、また図２中の対応するネットワーク２２６の位相検出部３２が図３に詳細に図示してある。位相検出部３２は、ＶＳＢ信号の実成分だけを用いてキャリアの位相エラーを測定し、キャリア位相エラーの正弦に比例する出力信号を発生する。位相検出部３２は、基本的に位相検出部への実成分入力における全ての直交位相成分を検出する。このような実成分の直交ひずみは、どれも位相検出部３２の出力に現われる位相オフセット・エラーを表わしている。
位相検出部は、量子化部３１０、シンボル遅延要素３１２および３１４、乗算部３１６および３１８、および減算混合部３２０を、図示したような構成で含む。量子化部３１０は、８−ＶＳＢ信号の場合には８レベルの量子化部で、１６−ＶＳＢ信号の場合には１６レベル量子化部、と言うようになっている。遅延要素３１２および３１４は量子化部３１０の動作に伴う通過時間遅延（transit time delay）を補償し、信号が時間的に同期して乗算部３１４、３１６に到着するようにする。位相検出部３２は、レイテンシが小さい（low latency）位相検出部で、入力と出力の間の遅延が少い（１シンボル）良い雑音トラッキングを行う。
位相検出部は、入力信号ｈ（ｔ）の位相（角度）エラーの正弦に比例する位相エラー出力信号Ｐｈ（ｔ）を生成する。この信号は、図１から分かるように、適応型イコライザ出力信号を回転したものである。位相検出部出力信号Ｐｈ（ｔ）は次式で定義される：
Ｐｈ（ｔ）＝ｈ（ｔ）＊ｈ′（ｔ−Ｔ）−ｈ′（ｔ）＊ｈ（ｔ−Ｔ）
ここで、ｈ′（ｔ）は量子化判定デバイス３１０の出力、ｈ（ｔ）は適応イコライザの回転後の出力、Ｔはシンボル区間である。位相検出部出力信号Ｐｈ（ｔ）は、入力信号の正弦に比例し、タイミング・オフセットには比例しない。正弦関数は、数学的な正弦関数自体ではないが、位相検出部３２の入力−出力伝達関数の形状から得られる。
【図１】
0004044132.tif 000002
【図２】
0004044132.tif 000003
【図３】
0004044132.tif 000004
【図４】
0004044132.tif 000005